(57)【特許請求の範囲】
【請求項１】
自身を識別するための固有のキーコード信号を除く所定のキーコード信号、及びユーザの操作情報信号を送信するリモコンと、
前記リモコンが送信する信号を受信する受信手段と、
演算手段と、
本体固有のＩＤ番号を設定するＩＤ番号設定手段と
を有し、
前記演算手段は、
前記受信手段が受信した前記キーコードと数字の組により特定される情報が、前記ＩＤ番号設定手段により設定されたＩＤ番号により特定される情報と一致する場合には、前記操作情報信号を受け付け、
前記受信手段が前記キーコードと所定の数字の組を前記リモコンより受信した際には、前記ＩＤ番号設定手段により設定されたＩＤ番号の設定を解除する
ことを特徴とする電子機器。
【請求項２】
前記ＩＤ番号設定手段により、本体に所定のＩＤ番号が設定された際には、
前記演算手段は、
前記受信手段が受信した前記キーコードと数字の組により特定される情報が、前記ＩＤ番号設定手段により設定されたＩＤ番号により特定される情報と一致しない場合であっても、前記操作情報信号を受け付けることを特徴とする請求項１に記載の電子機器。
【請求項３】
自身を識別するための固有のキーコード信号を除く所定のキーコード信号、及びユーザの操作情報信号を送信するリモコンと、
前記リモコンが送信する信号を受信する受信手段と、
演算手段と、
本体固有のＩＤ番号を設定するＩＤ番号設定手段と、
所定のメニュー項目について、前記ＩＤ番号設定手段により設定されたＩＤ番号を有効にするか否かを設定するＩＤ有効メニュー設定手段と
を有し、
前記演算手段は、
前記受信手段が受信した前記キーコードと数字の組により特定される情報が、前記ＩＤ番号設定手段により設定されたＩＤ番号により特定される情報と一致する場合には、前記操作情報信号を受け付け、
前記ＩＤ有効メニュー設定手段により、前記ＩＤ番号が無効である旨が設定されたメニュー項目については、前記受信手段が受信した前記キーコードと数字の組により特定される情報が、前記ＩＤ番号設定手段により設定されたＩＤ番号により特定される情報と一致しない場合であっても、当該メニュー項目の機能を実行することを特徴とする電子機器。
【請求項４】
自身を識別するための固有のキーコード信号を除く所定のキーコード信号、及びユーザの操作情報信号を送信するリモコンと、
前記リモコンが送信する信号を受信する受信手段と、
演算手段と、
本体固有のＩＤ番号を設定するＩＤ番号設定手段と、
ＩＤフラグと
を有し、
前記演算手段は、
前記受信手段が受信した前記キーコードと数字の組により特定される情報が、前記ＩＤ番号設定手段により設定されたＩＤ番号又は所定のＩＤ番号により特定される情報と一致した場合には前記ＩＤフラグをリセット又はセットの何れかの処理（以下、第１の処理という）をし、それ以外の場合には前記ＩＤフラグを前記第１の処理とは逆の処理からなる第２の処理をし、前記ＩＤフラグが前記第１の処理がなされた状態になっていると、前記操作情報信号を受け付けることを特徴とする電子機器。
【請求項５】
前記キーコードを特定する情報を設定するためのＩＤキー設定手段を有し、
前記演算手段は、前記ＩＤキー設定手段により特定された信号を、前記キーコードとみなすことを特徴とする請求項１ないし請求項４のいずれかに記載の電子機器。
【請求項６】
前記演算手段は、電源投入時の初期時に前記ＩＤフラグに前記第１の処理をすることを特徴とする請求項４記載の電子機器。
【請求項７】
請求項１ないし請求項６のいずれかに記載の電子機器を組込んだ構成としたことを特徴とするプロジェクタ。
【発明の詳細な説明】
【技術分野】
【０００１】
本発明は、リモコンにより操作する電子機器及びプロジェクタに関するものである。
【背景技術】
【０００２】
従来、ＩＤコードを送信するリモコンに関する技術として、『リモコンの通信開始キーを押すとリモコン信号送信範囲内の全機器に対してＩＤコード送信要求信号を送信する。リモコンは、ＩＤコード送信要求信号を受信した機器が返すＩＤコードを全て受信し、その中の任意の１台の機器を選択して、機器の操作に必要な表示と操作キーの設定を行い、前記機器を操作可能なリモコンとなるようにする。』というものが提案されている（特許文献１）。
【特許文献１】特開２００１−２４５３７１号公報（要約）
【発明の開示】
【発明が解決しようとする課題】
【０００３】
従来、複数台の電子機器をリモコンにより操作する場合には、リモコンにＩＤコードを送信する機能を持たせ、当該ＩＤコードが、受信側の電子機器で設定したＩＤコードと一致した場合にのみ、リモコンの操作信号に反応するように、受信側の電子機器を制御していた。
しかしながら、ＩＤコード送信機能を有するリモコンは、一般のリモコンと比較して高価であることが通常である。
本発明は、ＩＤコード送信機能のない一般のリモコンでも、ＩＤコード送信機能を有するリモコンと同様の効果を奏する電子機器を得ることを目的とする。
【課題を解決するための手段】
【０００４】
本発明に係る電子機器は、自身を識別するための固有のキーコード信号を除く所定のキーコード信号、及びユーザの操作情報信号を送信するリモコンと、前記リモコンが送信する信号を受信する受信手段と、演算手段と、本体固有のＩＤ番号を設定するＩＤ番号設定手段を有し、前記演算手段は、前記受信手段が受信した前記キーコードと数字の組により特定される情報が、前記ＩＤ番号設定手段により設定されたＩＤ番号により特定される情報と一致する場合には、前記操作情報信号を受け付け、前記受信手段が前記キーコードと所定の数字の組を前記リモコンより受信した際には、前記ＩＤ番号設定手段により設定されたＩＤ番号の設定を解除することを特徴とする。これにより、ＩＤコード送信機能のない一般のリモコンにより操作を行った場合でも、ＩＤコード送信機能を有するリモコンと同様の効果を奏することができる。また、機器毎に本体のＩＤ番号を設定解除する手間が省け、利用者の利便性が増す。なお、上記「固有のキーコード信号」とは、いわゆるＩＤ送信機能を有するリモコンのＩＤキーが送信する信号のように、リモコン固有の識別コードを指す。即ち、本発明におけるリモコンとは、ＩＤ送信機能等の固有の識別コード送信機能を有さないリモコンのことをいう。
【０００５】
また、本発明に係る電子機器においては、前記ＩＤ番号設定手段により、本体に所定のＩＤ番号が設定された際には、前記演算手段は、前記受信手段が受信した前記キーコードと数字の組により特定される情報が、前記ＩＤ番号設定手段により設定されたＩＤ番号により特定される情報と一致しない場合であっても、前記操作情報信号を受け付けることを特徴とする。これにより、電子機器本体のＩＤ番号設定後であっても、ＩＤ番号の設定に関わらず一括操作を行いたいような場合に、利用者が電子機器本体のＩＤ番号を都度解除して操作する手間が省け、利便性が増す。
【０００７】
また、本発明に係る電子機器においては、所定のメニュー項目について、前記ＩＤ番号設定手段により設定されたＩＤ番号を有効にするか否かを設定するＩＤ有効メニュー設定手段を有し、前記演算手段は、前記ＩＤ有効メニュー設定手段により、前記ＩＤ番号が無効である旨が設定されたメニュー項目については、前記受信手段が受信した前記キーコードと数字の組により特定される情報が、前記ＩＤ番号設定手段により設定されたＩＤ番号により特定される情報と一致しない場合であっても、当該メニュー項目の機能を実行することを特徴とする。これにより、各機器に共通の設定パラメータはリモコンによる一括操作で共通の設定にし、個別に設定したい特定の設定パラメータのみＩＤ番号を指定して機器毎に設定することが可能になり、複数の機器のパラメータを設定しなければならないような環境において、利用者の利便性が増す。
【０００８】
また、本発明に係る電子機器は、前記キーコードを特定する情報を設定するためのＩＤキー設定手段を有し、前記演算手段は、前記ＩＤキー設定手段により特定された信号を、前記キーコードとみなすことを特徴とする。これにより、利用者は任意のキーをＩＤキーの代替キーとして設定でき、リモコンの選択肢の幅が広がる。
【０００９】
また、本発明に係る電子機器は、ＩＤフラグを備え、前記演算手段は、前記受信手段が受信した前記キーコードと数字の組により特定される情報が、前記ＩＤ番号設定手段により設定されたＩＤ番号又は所定のＩＤ番号により特定される情報と一致した場合には前記ＩＤフラグをリセット又はセットの何れかの処理（以下、第１の処理という）をし、それ以外の場合には前記ＩＤフラグを前記第１の処理とは逆の処理からなる第２の処理をし、前記ＩＤフラグが前記第１の処理がなされた状態になっていると、前記操作情報信号を受け付ける。ＩＤフラグ（ＩＤＦ）の状態に応じてリモコンからの操作信号を受け付けるようにしており、例えばリモコンから所定のＩＤ番号（後述の実施形態では「０」）を送信した場合には、その周辺に設置されている複数の電子機器を一括して制御することができる。また、本体固有のＩＤ番号を送信した場合には、その時点から該当する電子機器が制御対象となる。このため、リモコンによる操作性が飛躍的に向上したものとなっている。
【００１０】
また、本発明に係る電子機器において、前記演算手段は、電源投入時の初期時に前記ＩＤフラグに前記第１の処理をする。これにより、電源投入時の初期時（リモコンからＩＤ番号（但し、所定のＩＤ番号を除く）を送信するまでの間）操作信号を送信するだけで、複数の電子機器を無条件に一括して制御することができ、リモコンによる操作性が飛躍的に向上したものとなっている。
【００１１】
また、本発明に係るプロジェクタは、上述の電子機器を組み込んだ構成としたことを特徴とする。これにより、ＩＤコード送信機能のない一般のリモコンにより操作を行った場合でも、ＩＤコード送信機能を有するリモコンと同様の効果を奏するプロジェクタを得ることができる。また、メニュー毎にＩＤ番号を有効にできるプロジェクタを得ることができる。さらには、任意のキーをＩＤキーの代替キーとして設定できるプロジェクタを得ることができる。
【発明を実施するための最良の形態】
【００１２】
実施の形態１．
図１は、本発明の実施の形態１に係る電子機器の、１つの実装例としてのプロジェクタの機能ブロック図である。
図１のプロジェクタは、操作キー１００、リモコン１０１、ネットワークインターフェース部１０２、映像信号処理部１０３、ユーザーインターフェース部１０４（受信手段）、音声信号処理部１０６、画像表示部１０７、演算部１０８（演算手段）、オーディオアンプ部１０９、データ記憶部１１０、スピーカー１１１、ランプ１１２、ランプドライバ部１１３、電源回路部１１４、ＬＣＤパネル１１５、投射レンズ１１５ａ、ＡＣプラグ１１６、映像信号入力部１１７、音声信号入力部１１８を備える。
なお、図１は、本実施の形態１に係るプロジェクタを説明するために必要な回路構成のみを図示しており、他の回路構成は省略してある。
【００１３】
操作キー１００、リモコン１０１は、利用者がプロジェクタの操作に使用するものである。ネットワークインターフェース部１０２は、ＬＡＮインターフェースであり、ＬＡＮパケットを受信する。映像信号処理部１０３は、演算部１０８の指示を受け、あるいは映像信号入力部１１７より映像信号を受け取り、映像信号に所定の映像処理を施すことにより、表示に適した映像信号を生成する。
ユーザーインターフェース部１０４は、リモコン１０１からの操作情報信号を受信し、あるいは操作キー１００の操作信号を受け取り、演算部１０８へ伝える。音声信号処理部１０６は、演算部１０８の指示を受け、あるいは音声信号入力部１１８より音声信号を受け取り、音声信号の処理を行う。画像表示部１０７は、映像信号処理部１０３の処理結果あるいは演算部１０８の指示を基に、ＬＣＤパネル１１５及び投射レンズ１１５ａを用いて画面出力を行う。
オーディオアンプ部１０９は、音声信号処理部１０６の処理結果あるいは演算部１０８の指示を基に、スピーカー１１１を使用して音声出力を行う。データ記憶部１１０は、プロジェクタ本体のＩＤ番号、設定メニュー項目等を記憶している。
ランプ１１２は、光源である。ランプドライバ部１１３は、演算部１０８の指示を基に、ランプ１１２の制御を行う。
電源回路部１１４は、電力調整等の処理を行う。ＡＣプラグ１１６は、本実施の形態１に係るプロジェクタに電力を供給する。
本実施の形態１に係るプロジェクタは、利用者がリモコン操作等によりプロジェクタ本体のＩＤ番号設定操作を行い、演算部１０８がその内容をデータ記憶部１１０に格納するものである（これをもって、ＩＤ番号設定手段に対応する機能を実現する）。
【００１４】
図２は、図１のリモコン１０１が有するキー等を示すものである。リモコン１０１は、ＩＤコード送信機能を持たない、一般的なリモコンである。以下、各キーについて説明する。「ＮＵＭキー」は、設定画面で数字入力をするような場合に、事前に押して数字入力であることを明示するような用途で設けられたキーである。
例えば、チャンネル番号指定に使用する数字キーが存在する場合に、これを数字入力に使おうとしてそのまま押すと、リモコン１０１からチャンネル番号指定信号が送信され、設定画面から当該チャンネルの画面に切り換わってしまい、設定継続ができないようなケースがある。このような場合には、予め「ＮＵＭキー」を押すことで、以後の数字キー入力はチャンネル番号指定ではなく数字入力として取り扱われ、設定画面からチャンネル画面に切り換ることなく、設定を継続できる。
「キー群」には、チャンネル番号指定などに使用する数字キー群や、音量指定キー等が配置されている。
【００１５】
図３は、ＩＤ送信機能を持たない一般的なリモコンを使用した際に、不都合となる場合を説明するものである。図３では、プロジェクタを例に挙げている。
店頭におけるディスプレイなど、複数のリモコン対応電子機器が比較的近い距離に複数設置される環境では、リモコンが送信した操作信号が複数の電子機器に到達する。同一機種の電子機器では操作信号の内容も同一であることが通常であるため、本来リモコンによる操作を意図していた電子機器以外の電子機器もリモコン操作に反応してしまい、他の電子機器の利用者に不都合が発生する場合がある。
【００１６】
図４は、ＩＤ送信機能を有するリモコンが、図３で説明したような不都合を回避する方法を説明するものである。
ＩＤ送信機能を有するリモコンは、操作信号送信時に、自身の識別ＩＤを送信することができる。このため、受信側の電子機器にリモコンの識別ＩＤと対応するＩＤ番号を設定しておけば、両者のＩＤが一致した場合にのみリモコンからの信号を受け付けるように構成できるので、図３のように全ての機器がリモコン操作に反応してしまうという不都合を避けることができる。
【００１７】
しかしながら、ＩＤ送信機能を有するリモコンは、ＩＤ送信機能を有しない一般的なリモコンと比較すると高価である。本発明は、かかるＩＤ送信機能を有しないリモコンで、これと同等の効果を奏する電子機器を得るものである。
【００１８】
ＩＤ送信機能を有しない一般的なリモコンは、ＩＤ送信に使用するためのキーは有しないものの、例えば図２の「ＮＵＭキー」のような特殊用途のキーを有している場合がある。本実施の形態１に係るプロジェクタは、このような特殊用途のキー（請求項１の「所定のキーコード」に対応）と、通常の数字キーを組み合せることにより、ＩＤ送信機能と同様の効果を奏するものである。
【００１９】
図５は、図１のプロジェクタにおいて、リモコン１０１が操作情報信号を送信した際の動作を説明するものである。
（Ｓ５０１）リモコン１０１が操作情報信号を送信すると、ユーザーインターフェース部１０４がこれを受信し、演算部１０８に伝える。
演算部１０８は、ＩＤ番号の入力を要求する状態となり、また必要に応じてその旨を画像表示部１０７に指示して画面出力させ、ユーザにＩＤ番号入力を促す。
（Ｓ５０２）演算部１０８は、リモコン１０１よりＩＤ番号入力があるまで待機する。ここでは、「ＮＵＭキー」＋「数字キー」の入力を、ＩＤ番号入力とみなすものとする。
（Ｓ５０３）演算部１０８は、データ記憶部１１０より、プロジェクタ本体のＩＤ番号を取得する。プロジェクタ本体のＩＤ番号は、事前に設定されているものとし、詳細は図６で説明する。
（Ｓ５０４）演算部１０８は、リモコン１０１が送信したＩＤ番号（「ＮＵＭキー」＋「数字キー」）と、プロジェクタ本体のＩＤ番号を比較する。両者が同一であればステップＳ５０６へ、両者が異なればステップＳ５０５へ進む。
（Ｓ５０５）演算部１０８は、必要に応じて、リモコン１０１が送信したＩＤ番号（「ＮＵＭキー」＋「数字キー」）とプロジェクタ本体のＩＤ番号が不一致である旨を、表示手段１０７に指示して画面出力させる。
（Ｓ５０６）演算部１０８は、リモコン１０１が送信した操作情報信号に対応する処理を実行する。
【００２０】
図６は、プロジェクタ本体のＩＤ番号を設定するための設定画面のイメージを示すものである。
プロジェクタ利用者は、操作キー１００あるいはリモコン１０１を操作して、図６のような画面でプロジェクタ本体のＩＤ番号を設定できる。演算部１０８は、設定されたＩＤ番号をデータ記憶部１１０に格納する。
ＩＤ番号は、「０」〜「９」の１０通りの値が設定できる。
「０」を設定した場合の動作は、図８で説明する。
【００２１】
図７は、プロジェクタ本体のＩＤ番号設定後の動作を説明するものである。
図７に示すように、プロジェクタ本体のＩＤ番号と、リモコン１０１が送信する「ＮＵＭキー」＋「数字キー」の値が一致する場合に限り、プロジェクタはリモコン操作に反応する。これにより、リモコン１０１がＩＤ送信機能を有しない場合でも、ＩＤ送信機能を有するリモコンと同一の効果を奏することが可能になる。
【００２２】
図８は、プロジェクタ本体のＩＤ番号に「０」を設定した場合の動作の一例である。
図８に示すように、プロジェクタ本体のＩＤ番号に「０」を設定した場合には、リモコン１０１が送信する「ＮＵＭキー」＋「数字キー」に関係なく、リモコン１０１が送信する操作情報信号に反応するようにしておけば、複数のプロジェクタを一括操作したい場合にも対応できる。
なお、一括操作可能なＩＤ番号は「０」に限られるものではなく、「０」以外の番号を用いるように構成してもよい。
【００２３】
図９は、リモコン１０１が「ＮＵＭキー」＋「０」を送信した際の動作の一例を示すものである。
プロジェクタ本体のＩＤ番号は、図６の画面で設定することが通常であるが、図９に示すようにリモコン１０１が「ＮＵＭキー」＋「０」を送信した際には、自動的にプロジェクタ本体のＩＤ番号をリセットするようにしておけば、利用者の操作の手間を軽減することができる。
なお、ＩＤ番号リセットを指示する方法は「ＮＵＭキー」＋「０」に限られるものではなく、これ以外の数字キー等を用いてもよい。
【００２４】
本実施の形態１においては、プロジェクタを例にとり説明したが、本発明の実施の形態はプロジェクタに限られるものではなく、例えばテレビ、ＤＶＤプレイヤーなど、リモコンで操作する全ての電子機器で適用可能なものである。
【００２５】
以上のように、本実施の形態１に係るプロジェクタによれば、「ＮＵＭキー」のような特殊用途キーと数字キーの組合せにより、ＩＤ送信機能を有するリモコンと同一の効果を奏することができる。
また、所定のＩＤ番号をプロジェクタ本体にセットしておけば、複数のプロジェクタを一括操作したい場合にも対応できる。
さらには、リモコン１０１が「ＮＵＭキー」＋「０」を送信した際には、自動的にプロジェクタ本体のＩＤ番号をリセットするようにし、利用者の操作の手間を軽減することができる。
【００２６】
実施の形態２．
実施の形態１に係る電子機器では、機器本体に設定されたＩＤ番号が、リモコンが送信する「ＮＵＭキー」＋「数字キー」と一致しない場合には、機器全体がリモコン操作に反応しないものとした。
本発明の実施の形態２に係る電子機器では、特定の設定メニューに関してのみ、機器本体のＩＤ番号を有効にするものである。
【００２７】
図１０は、本発明の実施の形態２に係る電子機器の、１つの実装例としてのプロジェクタの機能ブロック図である。
データ記憶部１１０は、ＩＤ有効設定テーブル１１９を格納している。ＩＤ有効設定テーブル１１９の構造及びデータ例については、後述の図１５で説明する。その他の構成については、実施の形態１の図１と同様であるため、説明を省略する。なお、図１０のデータ記憶部１１０にはＩＤフラグ１２０が図示されているが、これは後述の実施形態４の説明に用いられるものであり、本実施の形態２の説明においては用いられない。
【００２８】
図１１は、本実施の形態２に係るプロジェクタが、リモコン操作に反応する際の様子を説明するものである。
本実施の形態２に係るプロジェクタは、図１１に示すように、ＩＤ番号設定が有効となっている特定のメニューに対してリモコン操作を行った際には、プロジェクタ本体に設定されたＩＤ番号と、リモコンが送信する「ＮＵＭキー」＋「数字キー」とが同一である場合にのみ、リモコン操作に反応する。
なお、メニューの例については図１２で、メニューとＩＤ番号の対応関係については、図１５に示すＩＤ有効設定テーブル１１９の構造及びデータ例で説明する。
【００２９】
図１２は、本実施の形態２に係るプロジェクタのメニュー例を示すものである。
メニューとは、プロジェクタ本体の動作についてのパラメータ等を設定する際に、設けられるものである。例えば図１２に示すように、画面表示位置を調整する場合（図１２の「表示位置」メニュー）や、明るさ・色彩の調整を行う場合（図１２の「明るさ・色彩」メニュー）等に、利用者は図１２で示すような設定画面で上述のパラメータの設定を行うことができる。
メニュー毎にＩＤ番号設定を有効にできるようにすれば、各機器に共通の設定パラメータはリモコンによる一括操作で共通の設定にし、個別に設定したい特定の設定パラメータのみＩＤ番号を指定して機器毎に設定することが可能になり、複数の機器のパラメータを設定しなければならないような環境において、利用者の利便性が増す。
【００３０】
図１３は、図１０のプロジェクタにおいて、リモコン１０１がメニューに対する操作情報信号を送信した際の動作を説明するものである。
（Ｓ１３０１）リモコン１０１が操作情報信号を送信すると、ユーザーインターフェース部１０４がこれを受信し、演算部１０８に伝える。
演算部１０８は、ＩＤ有効設定テーブル１１９（詳細は図１５）を参照し、当該メニューがＩＤ番号を有効にしているメニューか否かを判断する。ＩＤ有効メニューであればステップＳ１３０２へ、ＩＤ無効メニューであればステップＳ１３０７へ進む。
（Ｓ１３０２）演算部１０８は、ＩＤ番号の入力を要求する状態となり、また必要に応じてその旨を画像表示部１０７に指示して画面出力させ、ユーザにＩＤ番号入力を促す。
（Ｓ１３０３）演算部１０８は、リモコン１０１よりＩＤ番号入力があるまで待機する。ここでは、「ＮＵＭキー」＋「数字キー」の入力を、ＩＤ番号入力とみなすものとする。
（Ｓ１３０４）演算部１０８は、データ記憶部１１０より、プロジェクタ本体のＩＤ番号を取得する。プロジェクタ本体のＩＤ番号は、事前に設定されているものとする。
（Ｓ１３０５）演算部１０８は、リモコン１０１が送信したＩＤ番号（「ＮＵＭキー」＋「数字キー」）と、プロジェクタ本体のＩＤ番号を比較する。両者が同一であればステップＳ１３０７へ、両者が異なればステップＳ１３０６へ進む。
（Ｓ１３０６）演算部１０８は、必要に応じて、リモコン１０１が送信したＩＤ番号（「ＮＵＭキー」＋「数字キー」）とプロジェクタ本体のＩＤ番号が不一致である旨を、表示手段１０７に指示して画面出力させる。
（Ｓ１３０７）演算部１０８は、リモコン１０１が送信した操作情報信号に対応するメニューの処理を実行する。
【００３１】
図１４は、図１２に示すメニューについて、ＩＤ番号を有効にするか否かを設定する画面の一例である。
利用者は、操作キー１００又はリモコン１０１を操作し、図１４のような設定画面で、メニュー毎にＩＤ番号を有効にするか否かの設定を行うことができる。設定結果は、演算部１０８がデータ記憶部１０８に格納されているＩＤ有効設定テーブル１１９にセットする（ＩＤ有効設定テーブル１１９の詳細は図１５）。
図１４で「有効」とされたメニューの機能を実行する際には、ＩＤ番号の入力が要求される（図１３のステップＳ１３０１参照）。
【００３２】
図１５は、ＩＤ有効設定テーブル１１９の構成及びデータ例を説明するものである。以下、各列について説明する。
「メニュー番号」は、メニューに内部的に割り当てられた識別番号である。
「親メニュー番号」は、メニューに階層を設ける場合に、上位階層のメニューを特定するためのメニュー番号である。図１５のデータ例では、例えばメニュー番号「２」の「横位置」メニューは、メニュー番号「１」の「表示位置」メニューの下に位置するメニューであることを示している。
「メニュー名称」は、メニューを画面表示する際の表示文字列である。
「有効」は、当該メニュー項目について、プロジェクタ本体のＩＤ番号を有効にするか否かを示すものである。
なお、図１５のデータ例は、図１４に示す画面表示に対応するデータ例を示すものである。
【００３３】
図１６は、利用者がリモコン１０１のＩＤキーに代替するキーを設定するための画面例を示すものである。
ＩＤ送信機能を有さないリモコンは、例えば「ＮＵＭキー」のような特殊用途のキーを持ち、これをＩＤキーの代わりに使用することができるが、そのような特注用途キーの種類は、「ＮＵＭキー」に限ったものではない。そこで図１６に示すような画面で、利用者自らが、ＩＤキーに代替するキーを設定することができれば、リモコン１０１の選択肢が増し、利用者にとって有利である。
【００３４】
図１７は、図１６の「その他」メニューを選択した際の画面例を示すものである。
図１６において、利用者が所望するキーが選択肢の中に存在しない場合には、図１７のような画面を設けて、利用者が所望するキーに対応する信号をプロジェクタ本体に記憶させるようにすることで、任意のキーをＩＤキーの代替として使用できる。
【００３５】
図１８は、図１７の画面の使用シーンを示すものである。
例えば、利用者が「＃」キーをＩＤキーの代替キーとして使用したい場合には、図１８のように、設定画面で「＃」キーを押し、当該キーに対応する信号をプロジェクタに記憶させることができる。
【００３６】
図１９は、リモコン１０１が送信する信号の一例を示すものである。
利用者がリモコン１０１の所定のキーを押した際には、対応する所定のＨｉ−Ｌｏ信号パターンが、プロジェクタ本体に送信される。プロジェクタ本体は、図１７や図１８において、当該信号のパターンを識別・記憶し、それをＩＤキーの代替キーとして記憶するようにすればよい。
【００３７】
図１９のような信号パターンをプロジェクタが識別する際には、リモコン１０１が送信する信号の周波数に合わせたタイミングで、信号の立ち上がりエッジを検出し、信号のＨｉ−Ｌｏパターンをカウントするようにすればよい。
例えば図１９の例においては、Ｈｉ信号が１５区画連続すれば、その部分はヘッダ信号であるとみなすことができ、続く信号はリモコンキーに対応するデータ信号であると判別できる。プロジェクタは、当該データ信号を識別・記憶し、ＩＤキーの代替キーを認識することができる。
【００３８】
以上のように、本実施の形態２に係るプロジェクタによれば、メニュー毎にＩＤ番号を有効にできるため、共通の設定としたいメニュー項目についてはリモコンにより一括設定しつつ、個別の設定としたいメニュー項目については、ＩＤ番号有効可により個別設定ができる。
また、ＩＤキーの代替キーを任意に設定できるので、リモコンの選択肢の幅が広がる。
【００３９】
実施の形態３．
実施の形態１及び実施の形態２に係るプロジェクタは、ＩＤ送信機能を有さないリモコンでも、ＩＤ送信機能を有するリモコンと同一の効果を奏することができるものである。
本発明の実施の形態３に係るプロジェクタは、ソフトウェアの更新により、既存のプロジェクタをＩＤ番号対応とすることができるようにしたものである。なお、構成は実施の形態２の図１０と同様であるため、説明を省略する。
【００４０】
図２０は、本実施の形態３に係るプロジェクタの使用例を示すものである。
一般に、電子機器の動作を規定するファームウェアと呼ばれるソフトウェアは、機器本体に内蔵する記憶手段等に焼き込んであることが通常である。このようなファームウェアをバージョンアップする際には、メーカーに依頼する、あるいはインターネットに接続可能な機器であれば、利用者が所定の手順を踏むことにより、自動的にファームウェアをダウンロードし、バージョンアップできるようにしている場合もある。
実施の形態１や実施の形態２に係るプロジェクタの動作を、ファームウェアに実装し、ファームウェアのバージョンアップにより当該機能を実現することができるようにすれば、既存のＩＤ非対応プロジェクタを、ＩＤ対応プロジェクタと同様の効果を奏するプロジェクタにバージョンアップすることができる。
例えば図２０のように、サーバ２００１にファームウェアの更新版を格納し、プロジェクタ２００２はインターネット２００３を経由してサーバ２００１に接続して、これから更新版のファームウェアをダウンロード・更新することができるようにすれば、利用者が特別な操作等を行うことなく、ＩＤ非対応のプロジェクタを、ＩＤ対応と同様の効果を奏するプロジェクタにバージョンアップすることができる。
【００４１】
図２１は、図２０の例において、プロジェクタ２００２がファームウェアをバージョンアップする手順の一例を説明するものである。
（Ｓ２１０１）プロジェクタ２００２は、起動時にサーバ２００１に自動接続し、ファームウェアの最新バージョン番号を確認する。
（Ｓ２１０２）サーバ２００１は、プロジェクタ２００２にファームウェアの最新バージョン番号を返信する。
（Ｓ２１０３）プロジェクタ２００２は、自己のファームウェアバージョンと、ステップＳ２１０２で取得した最新版のファームウェアバージョンを比較する。自己のファームウェアが最新版であればステップＳ２１０５へ、最新版でなければステップＳ２１０４へ進む。
（Ｓ２１０４）プロジェクタ２００２は、サーバ２００１よりファームウェア最新版イメージをダウンロードし、更新処理を行う。
（Ｓ２１０５）プロジェクタ２００２は、通常動作を開始する。
【００４２】
以上のように、本実施の形態３に係るプロジェクタによれば、利用者に特別の操作等を強いることなく、ファームウェアの更新のみにより、既存のＩＤ非対応のプロジェクタを、ＩＤ対応と同様の効果を奏するプロジェクタにバージョンアップすることができる。
【００４３】
実施の形態４．
本発明の実施の形態４は、図１０に示される機能ブロック図と同様な構成から成り、特に、データ記憶部１００にＩＤフラグ（ＩＤＦ）１２０を設けておいて、このＩＤフラグ１２０が例えばリセット状態にあるときに（ＩＤＦ＝０）、リモコン１０１からの操作信号を受け付けるようにしたものである。なお、ＩＤフラグ１２０は、電源投入時の初期段階においては例えば演算部１０８によりリセットされているものとする。
【００４４】
図２２はリモコンからのＩＤ番号の入力処理を示したフローチャートであり、この処理によりＩＤフラグ１２０をセット又はリセットする。 
（Ｓ２２０１）演算部１０８は、リモコン１０１からのＩＤ番号の入力を待機する。ここでは、上記の実施の形態と同様に、「ＮＵＭキー」＋「数字キー」の入力を、ＩＤ番号入力とみなすものとする。
（Ｓ２２０２）演算部１０８は、ＩＤ番号の入力があると、そのＩＤ番号（「ＮＵＭキー」＋「数字キー」）が「０」であるかどうかを判定し、「０」でない場合にはステップＳ２２０３へ、「０」であればステップＳ２２０６へ進む。
（Ｓ２２０３）演算部１０８は、ＩＤ番号が「０」ではないと判定すると、データ記憶部１１０よりプロジェクタ本体のＩＤ番号を取得する。プロジェクタ本体のＩＤ番号は、上述の実施の形態と同様に事前に設定されているものとする。
（Ｓ２２０４）演算部１０８は、リモコン１０１が送信したＩＤ番号とプロジェクタ本体のＩＤ番号とを比較する。両者が同一でなければステップＳ２２０５へ、両者が同一ならばステップＳ２２０６へ進む。
（Ｓ２２０５）演算部１０８は、リモコン１０１からのＩＤ番号とプロジェクタ本体のＩＤ番号とが同一ではないと判定した場合には、ＩＤフラグ（ＩＤＦ）１２０をセットする（ＩＤＦ＝１、本発明の第２の処理に相当する。）。
（Ｓ２２０６）演算部１０８は、リモコン１０１からのＩＤ番号が「０」の場合、及びリモコン１０１からのＩＤ番号とプロジェクタ本体のＩＤ番号とが同一の場合には、ＩＤフラグ（ＩＤＦ）１２０をリセットする（ＩＤＦ＝０、本発明の第１の処理に相当する。）。
【００４５】
図２３はリモコン１０１から操作信号、例えばメニュー操作キーが操作されたときの処理過程を示したフローチャートである。
（Ｓ２３０１）演算部１０８は、操作信号が入力してくると、例えばメニュー操作キーの操作信号であるかどうかを判定する。メニュー操作キーの操作信号であると判定された場合にはステップＳ２３０２に進む。メニュー操作キーの操作信号ではないと判定された場合にはその操作信号の入力を待機する。
（Ｓ２３０２）演算部１０８は、上記のＩＤフラグ（ＩＤＦ）１２０のデータを読み込んでリセットされている（ＩＤＦ＝０）かどうか判定する。ＩＤフラグ（ＩＤＦ）がリセットされていると判定した場合にはステップＳ２３０３に進み、リセットされていない（セットされている）と判定した場合には上記のステップＳ２３０１に戻る。なお、ＩＤフラグ（ＩＤＦ）１２０がリセットされた状態になるのは、上記のように、電源投入時の初期段階、リモコン１０１からのＩＤ番号が「０」の場合及びリモコン１０１からのＩＤ番号とプロジェクタ本体のＩＤ番号とが同一の場合である。
（Ｓ２３０３）演算部１０８は、上記のＩＤフラグ（ＩＤＦ）１２０がリセットされている場合には、上記のメニュー操作キーの操作信号に対応した処理をする。
（Ｓ２３０４）演算部１０８は、何らかの終了の指示がない限り上記の処理を繰り返して行い、終了の指示があると処理を終了する。
【００４６】
以上のように本実施の形態４においては、ＩＤフラグ（ＩＤＦ）１２０の状態に応じてリモコン１０１からの操作信号を受け付けるようにしたので、例えばリモコンを操作してＩＤ番号（但し、ＩＤ番号「０」を除く）を送信するまでの間又はリモコン１０１からＩＤ番号「０」を送信した場合には、その周辺に設置されている複数のプロジェクタを一括して制御することができる。そして、特定のプロジェクタ本体のＩＤ番号を送信した場合には、その時点から該当するプロジェクタのみを制御することができる。このため、リモコンによる操作性が飛躍的に向上したものとなっている。
【００４７】
また、本実施の形態４では、メニューキーの操作例について説明したが（図２３）、他のキー操作においても同様に処理することができる。
また、本実施の形態４は、上記の実施の形態２にも同様に適用することができる。例えば、図１３のフローチャートにおいて、演算部１０８がＩＤ有効設定テーブル１１９を参照し、当該メニューがＩＤ番号を有効にしているメニューか否かを判断し（Ｓ１３０１）、ＩＤ有効メニューであれば、次に、ＩＤ番号の確認処理（Ｓ１３０２〜Ｓ１３０５）の代わりに、上記の例と同様に、上記のＩＤフラグ（ＩＤＦ）１２０がリセットされている状態であるかどうかを判定し、リセットされている状態であると判定すると、メニューの処理を実行する（Ｓ１３０７）という処理を行うことにより、個別のメニューに対応した処理を行うことができる。
また、上記の例では、本発明の第１の処理として、例えば初期段階、ＩＤ番号「０」及び本体ＩＤ番号を受信したときに、ＩＤフラグ（ＩＤＦ）１２０をリセットして（ＩＤＦ＝０）、その状態にあるときに操作信号を受け付けるようにしたが、その逆に、ＩＤフラグ（ＩＤＦ）をセットして（ＩＤＦ＝１）、その状態にあるときにのみ操作信号を受け付けるようにしてもよい。そのようにした場合には、本発明の第２の処理はＩＤフラグ（ＩＤＦ）１２０をリセット（ＩＤＦ＝０）することになる。
【図面の簡単な説明】
【００４８】
【図１】本発明の実施の形態１に係るプロジェクタの機能ブロック図である。
【図２】図１のリモコン１０１が有するキー等を示すものである。
【図３】ＩＤ送信機能を持たないリモコンの使用例を説明するものである。
【図４】ＩＤ送信機能を有するリモコンの使用例を説明するものである。
【図５】リモコン１０１が操作情報信号を送信した際の動作を説明するものである。
【図６】プロジェクタ本体のＩＤ番号を設定するための設定画面を示すものである。
【図７】プロジェクタ本体のＩＤ番号設定後の動作を説明するものである。
【図８】プロジェクタ本体のＩＤ番号に「０」を設定した場合の動作の一例である。
【図９】「ＮＵＭキー」＋「０」を送信した際の動作の一例を示すものである。
【図１０】本発明の実施の形態２に係るプロジェクタの機能ブロック図である。
【図１１】リモコン操作に反応する際の様子を説明するものである。
【図１２】本実施の形態２に係るプロジェクタのメニュー例を示すものである。
【図１３】メニューに対する操作情報信号を送信した際の動作である。
【図１４】ＩＤ番号を有効にするか否かを設定する画面の一例である。
【図１５】ＩＤ有効設定テーブル１１９の構成及びデータ例を説明するものである。
【図１６】ＩＤキーに代替するキーを設定するための画面例を示すものである。
【図１７】「その他」メニューを選択した際の画面例を示すものである。
【図１８】図１７の画面の使用シーンを示すものである。
【図１９】リモコン１０１が送信する信号の一例を示すものである。
【図２０】本実施の形態３に係るプロジェクタの使用例を示すものである。
【図２１】ファームウェアをバージョンアップする手順を説明するものである。
【図２２】リモコンからのＩＤ番号の入力処理を示したフローチャートである。
【図２３】メニュー操作キーによる処理過程を示したフローチャートである。
【符号の説明】
【００４９】
１００  操作キー、１０１  リモコン、１０２  ネットワークインターフェース部、１０３  映像信号処理部、１０４  ユーザーインターフェース部、１０５  検出回路、１０６  音声信号処理部、１０７  画像表示部、１０８  演算部、１０９  オーディオアンプ部、１１０  データ記憶部、１１１  スピーカー、１１２  ランプ、１１３  ランプドライバ部、１１４  電源回路部、１１５  ＬＣＤパネル、１１５ａ  投射レンズ、１１６  ＡＣプラグ、１１７  映像信号入力部、１１８  音声信号入力部、１１９  ＩＤ有効設定テーブル、１２０  ＩＤフラグ（ＩＤＦ）、２００１  サーバ、２００２  プロジェクタ、２００３  インターネット。
【図１】
0004432939.tif 000002
【図２】
0004432939.tif 000003
【図３】
0004432939.tif 000004
【図４】
0004432939.tif 000005
【図５】
0004432939.tif 000006
【図６】
0004432939.tif 000007
【図７】
0004432939.tif 000008
【図８】
0004432939.tif 000009
【図９】
0004432939.tif 000010
【図１０】
0004432939.tif 000011
【図１１】
0004432939.tif 000012
【図１２】
0004432939.tif 000013
【図１３】
0004432939.tif 000014
【図１４】
0004432939.tif 000015
【図１５】
0004432939.tif 000016
【図１６】
0004432939.tif 000017
【図１７】
0004432939.tif 000018
【図１８】
0004432939.tif 000019
【図１９】
0004432939.tif 000020
【図２０】
0004432939.tif 000021
【図２１】
0004432939.tif 000022
【図２２】
0004432939.tif 000023
【図２３】
0004432939.tif 000024